(57)【要約】      （修正有）【課題】設置に便利な発光ダイオード照明装置を提供する。【解決手段】発光ダイオード照明装置１は、第１の固定ユニット１１１を含み、取り外し可能に固定基台１０に設置される制御モジュール１１と、制御モジュールに接続される信号送受信モジュールと、基板１３２と基板に設置される複数の発光ダイオードとを含む発光ダイオードモジュール１３と、を含む。発光ダイオードモジュールは、制御モジュールに電気的に接続され、制御モジュールに対し片側に設置される。【選択図】図１
0003225823.tif 000002
【実用新案登録請求の範囲】
【請求項１】
第１の固定ユニットを含み、取り外し可能に固定基台に設置される制御モジュールと、
前記制御モジュールに接続される信号送受信モジュールと、
基板と前記基板に設置される複数の発光ダイオードとを含む発光ダイオードモジュールと、
を含む発光ダイオード照明装置であって、
前記発光ダイオードモジュールは、前記制御モジュールに電気的に接続され、前記制御モジュールに対し片側に設置される、ことを特徴とする発光ダイオード照明装置。
【請求項２】
前記信号受送信モジュールは接続モジュールによって前記制御モジュールに接続される、請求項１に記載の発光ダイオード照明装置。
【請求項３】
前記接続モジュールは、接続ワイヤユニット及び収容ユニットを含み、前記収容ユニットは前記制御モジュールの外側に設置される、請求項２に記載の発光ダイオード照明装置。
【請求項４】
前記接続モジュールはポートを含み、前記ポートは前記制御モジュール及び前記接続ワイヤユニットに電気的に接続され、
前記接続ワイヤユニットは前記収容ユニットの収容空間に収容される請求項３に記載の発光ダイオード照明装置。
【請求項５】
前記接続モジュールは少なくとも１つの接続ユニットをさらに含み、前記接続ユニットは折り畳み可能であり、
前記接続ワイヤユニットは前記少なくとも１つの接続ユニットに設置され、
前記少なくとも１つの接続ユニットは前記収容ユニットに折り畳まれて収容される、請求項３に記載の発光ダイオード照明装置。
【請求項６】
前記発光ダイオードモジュールは第２の固定ユニットを含み、前記発光ダイオードモジュールは前記制御モジュールの周囲に設置され、
前記発光ダイオードモジュールと、前記信号受送信モジュールとは同じ平面に設置される、請求項１に記載の発光ダイオード照明装置。
【請求項７】
前記発光ダイオードモジュールと、前記信号受送信モジュールとは異なる平面に設置される、請求項３に記載の発光ダイオード照明装置。
【請求項８】
前記発光ダイオード照明装置は、有線方式で他の発光ダイオード照明装置と通信する、請求項１に記載の発光ダイオード照明装置。
【考案の詳細な説明】
【技術分野】
【０００１】
本考案は照明装置に関し、特に発光ダイオード照明装置に関する。
【背景技術】
【０００２】
従来の発光ダイオード照明装置において、制御信号の受信装置は外部のスイッチ、または照明装置の内部に固定されることが多い。そのため、設計変更やメンテナンスは不便である。
【０００３】
そのため、設置に便利な発光ダイオード照明装置は、業界において重要な課題となる。
【考案の概要】
【考案が解決しようとする課題】
【０００４】
本考案が解決しようとする技術問題は、従来技術を改善するため、発光ダイオード照明装置を提供することである。
【課題を解決するための手段】
【０００５】
本考案が提供する発光ダイオード照明装置は、第１の固定ユニットを含み、取り外し可能に固定基台に設置される制御モジュールと、前記制御モジュールに接続される信号送受信モジュールと、基板と前記基板に設置される複数の発光ダイオードとを含む発光ダイオードモジュールと、を含む。前記発光ダイオードモジュールは、前記制御モジュールに電気的に接続され、前記制御モジュールに対し片側に設置される。
【考案の効果】
【０００６】
本考案の１つの有益な效果として、本考案が提供する発光ダイオード照明装置は取り外し可能であって、積み重ね可能である構造を持っている。さらに、それぞれの部品はモジュール化されている。そのため、需要によって簡単に設計変更可能であり、効果的にコストダウンできる。
【図面の簡単な説明】
【０００７】
【図１】本考案における第１実施形態の発光ダイオード照明装置の模式図である。
【図２】図１における接続モジュールを示す模式図である。
【図３】図１における接続モジュールを示す別の模式図である。
【図４】本考案における第２実施形態の発光ダイオード照明装置を示す模式図である。
【図５】図４における接続モジュールを示す模式図である。
【図６】図４における接続モジュールの接続ユニットの延伸状態を示す模式図である。
【図７】図４における接続モジュールの接続ユニットの延伸状態を示す別の模式図である。
【図８】本考案における第３実施形態の発光ダイオード照明装置を示す模式図である。
【図９】図８における制御モジュール及び信号送受信モジュールを示す模式図である。
【考案を実施するための形態】
【０００８】
下記より、本考案が開示する「発光ダイオード照明装置」に係る実施形態を説明する。当業者は本明細書の公開内容により本考案のメリット及び効果を理解し得る。本考案は他の異なる実施形態により実行又は応用できる。本明細書における各細節も、様々な観点又は応用に基づいて、本考案の技術的思想を逸脱しない限りにおいて、均等の変形と変更を行うことができる。また、本考案の図面は簡単で模式的に説明するためのものであり、実際的な寸法を示すものではない。以下の実施形態において、さらに本考案に係る技術事項を説明するが、公開される内容は本考案を限定するものではない。
【０００９】
なお、本明細書において「第１」、「第２」、「第３」等の用語で各種の部品又は信号を説明する可能性があるが、これらの部品又は信号はこれらの用語によって制限されるものではない。これらの用語は、主として一つの部品と別の部品、又は一つの信号と別の信号を区分するためのものであることを理解されたい。また、本明細書に用いられる「又は」という用語は、実際の状況に応じて、関連する項目中の何れか一つ又は複数の組合せを含み得る。
【００１０】
［第１の実施形態］
図１は、本考案における第１実施形態の発光ダイオード照明装置の模式図である。図２は、図１における接続モジュールを示す模式図である。図３は、図１における接続モジュールを示す別の模式図である。
【００１１】
発光ダイオード照明装置１は、制御モジュール１１、信号送受信モジュール１４及び発光ダイオードモジュール１３を含む。制御モジュール１１は、第１固定ユニット１１１を備える。当該第１固定ユニット１１１は、取り外し可能に固定基台１０に設置される。固定基台１０は室内の天井や壁に設置される。制御モジュール１１はケース（図示せず）に設置される。本実施形態においては、固定基台１０及び制御モジュール１１のケース（図示せず）の材質はプラスチックであるが、これに制限されない。
【００１２】
信号送受信モジュール１４は、制御モジュール１１に接続される。制御モジュール１１は、制御システム（図示せず）に電気的に接続される。本実施形態において、信号送受信モジュール１４はブルートゥースシリアル制御信号転換モジュールである。即ち、信号送受信モジュールはブルートゥース制御信号を受信した後、当該ブルートゥース制御信号を有線のシリアル制御信号に転換できる。信号送受信モジュール１４は、制御を行うために、制御システムが制御モジュール１１を通して送信したシリアル制御信号をブルートゥース制御信号に転換し、モバイル装置（図示せず）や電子装置に送信してもよい。
【００１３】
発光ダイオードモジュール１３は、複数の発光ダイオードユニット１３１及び基板１３２を含む。複数の発光ダイオードユニット１３１は基板１３２に設置される。発光ダイオードモジュール１３は制御モジュール１１に電気的に接続される。制御モジュール１１は、制御システム（図示せず）から送信された照明制御信号に基づいて、発光ダイオードモジュール１３の開閉、明るさ、色彩や照明モードを制御できる。
【００１４】
本実施形態において、発光ダイオードモジュール１３は、制御モジュール１１に対し片側に設置される。固定基台１０が天井に設置されるため、発光ダイオードモジュール１３は制御モジュール１１の下方に設置される。
【００１５】
図２及び図３のように、接続モジュール１２は制御モジュール１１の周囲に設置される。接続モジュール１２は接続ワイヤユニット１２１、ポート１２２及び収容ユニット１２３を備える。
【００１６】
信号送受信モジュール１４は接続モジュール１２の接続ワイヤユニット１２１及びポート１２２を通して制御モジュール１１に電気的に接続される。制御モジュール１１は接続ワイヤユニット１２１を通して信号送受信モジュール１４に駆動用の電力を提供する。
【００１７】
収容ユニット１２３は制御モジュール１１の外側に設置され、制御モジュール１１のケースの上下から延伸した延伸部１２３１、１２３２を有する。延伸部１２３１、１２３２のそれぞれは複数の阻隔壁１２３Ａを有する。収容ユニット１２３は、延伸部１２３１、１２３２及び複数の阻隔壁１２３Ａにより収容空間を形成する。接続ワイヤユニット１２１は巻き付けられて収容ユニット１２３の収容空間に収容される。さらに、接続ワイヤユニット１２１の片方はポート１２２に電気的に接続され、接続ワイヤユニット１２１の他方は信号送受信モジュール１４に電気的に接続される。
【００１８】
本実施形態において、発光ダイオードモジュール１３はさらに第２固定ユニット１３３を備える。発光ダイオードモジュール１３は、前記第２固定ユニット１３３を通して取り外し可能に前記制御モジュール１１に対し片側に設置される。また、本考案の発光ダイオード照明装置１は、有線方式で他の発光ダイオード照明装置１と通信できる。即ち、複数の発光ダイオード照明装置１の制御モジュールは互いに有線方式で通信できる。発光ダイオードモジュール１３は、第２固定ユニット１３３を通して前記制御モジュール１１に電気的に接続される。
【００１９】
[第２の実施形態]
図４は、本考案における第２実施形態の発光ダイオード照明装置を示す模式図である。図５は、図４における接続モジュールを示す模式図である。図６は、図４における接続モジュールの接続ユニットの延伸状態を示す模式図である。図７は、図４における接続モジュールの接続ユニットの延伸状態を示す別の模式図である。
【００２０】
本実施形態における発光ダイオード照明装置２と、第１実施形態の発光ダイオード照明装置１とは類似している。しかし、本実施形態の接続モジュール２２と接続モジュール１２とは構造が異なる。また、発光ダイオード照明装置２は信号送受信モジュール２５、２６を備える。
【００２１】
発光ダイオード照明装置２は、制御モジュール２１、接続モジュール２２、発光ダイオードモジュール２３、第１信号送受信モジュール２５及び第２信号送受信モジュール２６を備える。制御モジュール２１は第１固定ユニット２１１を備え、当該第１固定ユニット２１１は取り外し可能に固定基台２０に設置される。固定基台２０は室内の天井や壁に設置される。制御モジュール２１はケース（図示せず）の中に設置される。本実施形態において、固定基台２０及び制御モジュール２１のケース（図示せず）の材質はプラスチックであるが、これに制限されない。
【００２２】
第１信号送受信モジュール２５及び第２信号送受信モジュール２６は、制御モジュール２１に接続される。制御モジュール１１は、制御システム（図示せず）に電気的に接続される。本実施形態において、第１信号送受信モジュール２５及び第２信号送受信モジュール２６のそれぞれは、ブルートゥースシリアル制御信号転換モジュールである。即ち、第１信号送受信モジュール２５及び第２信号送受信モジュール２６はブルートゥース制御信号を受信した後、当該ブルートゥース制御信号を有線のシリアル制御信号に転換できる。第１信号送受信モジュール２５及び第２信号送受信モジュール２６は、制御を行うために、制御システムが制御モジュール２１を通して送信したシリアル制御信号をブルートゥース制御信号に転換し、モバイル装置（図示せず）や電子装置に送信してもよい。
【００２３】
発光ダイオードモジュール２３は、複数の発光ダイオードユニット２３１及び基板２３２を含む。複数の発光ダイオードユニット２３１は基板２３２に設置される。発光ダイオードモジュール２３は制御モジュール２１に電気的に接続される。制御モジュール２１は、制御システム（図示せず）により送信された照明制御信号によって発光ダイオードモジュール２３の開閉、明るさ、色彩や照明モードを制御できる。
【００２４】
本実施形態において、発光ダイオードモジュール２３は制御モジュール１１に対し片側に設置される。固定基台２０が天井に設置されるため、発光ダイオードモジュール２３は制御モジュール２１の下方に設置される。
【００２５】
接続モジュール２２は制御モジュール２１の周囲に設置される。接続モジュール２２は収容ユニット２２３、第１接続ユニット２２５及び第２接続ユニット２２６を含む。第１接続ユニット２２５の片方及び第２接続ユニット２２６の片方は収容ユニット２２３の両側に固定される。第１信号送受信モジュール２５は第１接続ユニット２２５の他方に設置される。第１信号送受信モジュール２６は第２接続ユニット２２６の他方に設置される。
【００２６】
本実施形態において、第１信号送受信モジュール２５及び第２信号送受信モジュール２６のそれぞれは接続ワイヤユニット（図示せず）を通して制御モジュール２１に電気的に接続される。即ち、第１信号送受信モジュール２５及び第２信号送受信モジュール２６が制御モジュールに接続するための接続ワイヤユニット（図示せず）は第１接続ユニット２２５及び第２接続ユニット２２６の中に設置されている。制御モジュール２１は接続ワイヤユニット（図示せず）を通して駆動用の電力を第１信号送受信モジュール２５及び第２信号送受信モジュール２６に提供する。しかし、本考案はこれに制限されず、他の実施形態においては、第１信号送受信モジュール２５及び第２信号送受信モジュール２６は無線方式で制御モジュール２１と通信できる。
【００２７】
収容ユニット２２３は制御モジュール２１の外側に設置され、制御モジュール２１のケースの上下から延伸した延伸部２２３１、２２３２によって構成される。
【００２８】
本実施形態において、接続モジュール２２３の延伸部２２３１、２２３２は収容空間を形成するが、阻隔壁を有しない。第１接続ユニット２２５及び第２接続ユニット２２６は収容ユニット２２３の収容空間に収容される。第１接続ユニット２２５及び第２接続ユニット２２６のそれぞれは折り畳み可能であり、複数の接続部を含む。第１接続ユニット２２５及び第２接続ユニット２２６のそれぞれは４つの接続部を備える。第１接続ユニット２２５は、第１接続部２２５Ａ、第２接続部２２５Ｂ、第３接続部２２５Ｃ及び第４接続部２２５Ｄを備える。第２接続ユニット２２６は、第１接続部２２６Ａ、第２接続部２２６Ｂ、第３接続部２２６Ｃ及び第４接続部２２６Ｄを備える。
【００２９】
第１接続部２２５Ａ、２２６Ａは収容ユニット２２３の内側に固定される。第１接続ユニット２２５の第１接続部２２５Ａには、順次に第１接続ユニット２２５の第２接続部２２５Ｂ、第３接続部２２５Ｃ及び第４接続部２２５Ｄが接続される。第２接続ユニット２２６の第１接続部２２６Ａには、順次に第２接続ユニット２２６の第２接続部２２６Ｂ、第３接続部２２６Ｃ、及び第４接続部２２６Ｄが接続される。第１信号送受信モジュール２５は第１接続ユニット２２５の第４接続部２２５Ｄに設置される。第２信号送受信モジュール２６は第２接続ユニット２２６の第４接続部２２６Ｄに設置される。
【００３０】
図５及び図６のように、第１接続ユニット２５における４つの接続部は収容ユニット２２３の上半部に収容され、第２接続ユニット２６における４つの接続部は収容ユニット２２３の下半部に収容される。即ち、第１接続ユニット２５及び第２接続ユニット２６における接続部のサイズはそれぞれ、収容ユニット２２３における環状領域の約４分之１である。さらに、第１接続ユニット２５及び第２接続ユニット２６は折り畳み可能である。そのため、発光ダイオードモジュール２３の半徑Ｄ１または半徑Ｄ３によって第１接続ユニット２５及び第２接続ユニット２６の延伸後の長さを調整してもよい。好ましくは、受送信しやすいように第１信号送受信モジュール２５及び第２信号送受信モジュール２６を発光ダイオードモジュール２３の端に設置する。
【００３１】
本実施形態において、発光ダイオードモジュール２３はさらに第２固定ユニット２３３を備える。発光ダイオードモジュール２３は第２固定ユニット２３３を通して取り外し可能に制御モジュール２１に対し片側に設置される。即ち、発光ダイオードモジュール２３は第１信号送受信モジュール２５及び第２信号送受信モジュール２６の下方に設置される。その結果、発光ダイオードモジュール２３と第１信号送受信モジュール２５及び第２信号送受信モジュール２６とは別の平面に設置される。発光ダイオードモジュール２３は第２固定ユニット２３３を通して前記制御モジュール２１に電気的に接続される。
【００３２】
また、本考案の発光ダイオード照明装置１、２は、有線方式で別の発光ダイオード照明装置１、２と通信できる。即ち、複数の発光ダイオード照明装置１、２の制御モジュールは互いに有線方式で通信できる。
【００３３】
[第３の実施形態]
図８は、本考案における第３実施形態の発光ダイオード照明装置を示す模式図である。図９は、図８における制御モジュール及び信号送受信モジュールを示す模式図である。
【００３４】
本実施形態における発光ダイオード照明装置３は、発光ダイオード照明装置１、発光ダイオード照明装置２に類似している。しかし、本実施形態における信号送受信モジュール３５、３６は制御モジュール３１の片側に設置される。また、発光ダイオードモジュール３３は制御モジュール３１の周囲に設置される。
【００３５】
本実施形態において、発光ダイオードモジュール３３は制御モジュール３１の周囲に設置される。図８のように、発光ダイオードモジュール３３の中央には、制御モジュール３１を収容するための穴が設けられている。さらに、受送信しやすくなるように第１信号送受信モジュール３５及び第２信号送受信モジュール３６は発光ダイオードモジュールとほぼ同じ平面に設置される。
【００３６】
しかし、発光ダイオードモジュール３３の第２固定ユニット（図示せず）は中央に設置されない。本考案においては、発光ダイオードモジュール３３の第２固定ユニットの位置は制限されない。また、発光ダイオードモジュール３３は第２固定ユニットにより固定基台３０に固定され、制御モジュール３１に電気的に接続される。図８のように、発光ダイオードモジュール３３における複数の発光ダイオードユニット３３２は放射状になるように基板３３１に設置される。また、本考案における発光ダイオード照明装置１、２、３は有線方式で別の発光ダイオード照明装置１、２、３と通信できる。即ち、複数の発光ダイオード照明装置１、２、３の制御モジュールは互いに有線方式で通信できる。
【００３７】
[実施形態による有益な効果]
本考案の１つの有益な效果として、本考案が提供する発光ダイオード照明装置は取り外し可能であって、積み重ね可能である構造を持っている。さらに、それぞれの部品はモジュール化されている。そのため、需要によって簡単に設計変更可能であり、効果的にコストダウンできる。
【００３８】
以上に開示される内容は本考案の好ましい実施可能な実施例に過ぎず、これにより本考案の実用新案登録請求の範囲を制限するものではないので、本考案の明細書及び添付図面の内容に基づき為された等価の技術変形は、全て本考案の実用新案登録請求の範囲に含まれる。
【符号の説明】
【００３９】
１、２、３：発光ダイオード照明装置
１０、２０：固定基台
１１、２１、３１：制御モジュール
１２、２２：接続モジュール
１３、２３、３３：発光ダイオードモジュール
１１１、２１１：第１固定ユニット
１３１、２３１、３３１：発光ダイオードユニット
１３２、２３２、３３２：基板
１３３、２３３：第２固定ユニット
２５、３５：第１信号送受信モジュール
２６、３６：第２信号送受信モジュール
１４：信号送受信モジュール
１２１：接続ワイヤユニット
１２２：ポート
１２３、２２３：収容ユニット
２２５：第１接続ユニット
２２６：第２接続ユニット
２２５Ａ、２２６Ａ：第１接続部
２２５Ｂ、２２６Ｂ：第２接続部
２２５Ｃ、２２６Ｃ：第３接続部
２２５Ｄ、２２６Ｄ：第４接続部
１２３１、１２３２、２２３１、２２３２：延伸部
１２３Ａ：阻隔壁
Ｄ１、Ｄ３：半徑
【図１】
0003225823.tif 000003
【図２】
0003225823.tif 000004
【図３】
0003225823.tif 000005
【図４】
0003225823.tif 000006
【図５】
0003225823.tif 000007
【図６】
0003225823.tif 000008
【図７】
0003225823.tif 000009
【図８】
0003225823.tif 000010
【図９】
0003225823.tif 000011
【手続補正書】
【提出日】令和2年2月6日(2020.2.6)
【手続補正１】
【補正対象書類名】実用新案登録請求の範囲
【補正対象項目名】全文
【補正方法】変更
【補正の内容】
【実用新案登録請求の範囲】
【請求項１】
第１の固定ユニットを含み、取り外し可能に固定基台に設置される制御モジュールと、
前記制御モジュールに接続される信号送受信モジュールと、
基板と前記基板に設置される複数の発光ダイオードとを含む発光ダイオードモジュールと、
を含む発光ダイオード照明装置であって、
前記発光ダイオードモジュールは、前記制御モジュールに電気的に接続され、前記制御モジュールに対し片側に設置される、ことを特徴とする発光ダイオード照明装置。
【請求項２】
前記信号送受信モジュールは接続モジュールによって前記制御モジュールに接続される、請求項１に記載の発光ダイオード照明装置。
【請求項３】
前記接続モジュールは、接続ワイヤユニット及び収容ユニットを含み、前記収容ユニットは前記制御モジュールの外側に設置される、請求項２に記載の発光ダイオード照明装置。
【請求項４】
前記接続モジュールはポートを含み、前記ポートは前記制御モジュール及び前記接続ワイヤユニットに電気的に接続され、
前記接続ワイヤユニットは前記収容ユニットの収容空間に収容される請求項３に記載の発光ダイオード照明装置。
【請求項５】
前記接続モジュールは少なくとも１つの接続ユニットをさらに含み、前記接続ユニットは折り畳み可能であり、
前記接続ワイヤユニットは前記少なくとも１つの接続ユニットに設置され、
前記少なくとも１つの接続ユニットは前記収容ユニットに折り畳まれて収容される、請求項３に記載の発光ダイオード照明装置。
【請求項６】
前記発光ダイオードモジュールは第２の固定ユニットを含み、前記発光ダイオードモジュールは前記制御モジュールの周囲に設置され、
前記発光ダイオードモジュールと、前記信号送受信モジュールとは同じ平面に設置される、請求項１に記載の発光ダイオード照明装置。
【請求項７】
前記発光ダイオードモジュールと、前記信号送受信モジュールとは異なる平面に設置される、請求項３に記載の発光ダイオード照明装置。
【請求項８】
前記発光ダイオード照明装置は、有線方式で他の発光ダイオード照明装置と通信する、請求項１に記載の発光ダイオード照明装置。